(57)【要約】【課題】任意の位置にスクリーンを止めることができるようにする。【解決手段】スクリーン１を巻き取るローラ２と、スクリーン１の引き出し側縁に取り付けられたフロントフレーム３と、フロントフレーム３の両端を案内する左右一対のガイドレール４と、左右一対のガイドレール４の少なくとも一方に沿って設けられたラック状部材と、フロントフレーム３に回転自在に設けられ、ラック状部材に噛み合うピニオンギアが取り付けられたシャフト７と、シャフト７をフロントフレーム３に係止する係止手段と、係止手段によるシャフト７の係止を解除する操作手段９を備えている。【選択図】図１
2013133657.tif 000002
【特許請求の範囲】
【請求項１】
スクリーンを巻き取るローラと、前記スクリーンの引き出し側縁に取り付けられたフロントフレームと、前記フロントフレームの両端を案内する左右一対のガイドレールと、前記左右一対のガイドレールの少なくとも一方に沿って設けられたラック状部材と、前記フロントフレームに回転自在に設けられ、前記ラック状部材に噛み合うピニオンギアが取り付けられたシャフトと、前記シャフトを前記フロントフレームに係止する係止手段と、前記係止手段による前記シャフトの係止を解除する操作手段を備えることを特徴とするロールスクリーン装置。
【請求項２】
前記ラック状部材および前記ピニオンギアは左右一対設けられていることを特徴とする請求項１記載のロールスクリーン装置。
【請求項３】
前記係止手段は前記シャフトの周面を締め付けて係止するコイルスプリングであり、前記操作手段は前記コイルスプリングの締め付け力を緩めるレバーであることを特徴とする請求項１または２に記載のロールスクリーン装置。
【発明の詳細な説明】
【技術分野】
【０００１】
本発明は、主に屋外で使用されるロールスクリーン装置に関する。
【背景技術】
【０００２】
ロールスクリーン装置として、巻き取りローラから引き出したスクリーンを左右一対のガイドレールで案内するものがある（特許文献１）。このロールスクリーン装置を図８，図９に示す。ロールスクリーン装置のスクリーン１０１の引き出し側端には、左右のガイドレール１０２，１０２に案内されるボトムバー１０３が設けられている。また、左右のガイドレール１０２，１０２にはラック１０４が設けられており、ボトムバー１０３の両端から突出する心棒１０５に固定されたピニオンギア１０６を左右のラック１０４に噛み合わせることで、スクリーン１０１の昇降に応じて心棒１０５が回転する構成となっている。
【０００３】
心棒１０５にはナット１０７がねじ込まれている螺子部１０８が設けられており、スクリーン１０１を降ろす方向に心棒１０５が回転するとナット１０７がスプリング１０９を圧縮する。そのため、心棒１０５がボトムバー１０３内に引き込まれ、心棒１０５の先端に取り付けられたスライド案内片１１０がガイドレール１０２に押し付けられて摩擦係合する。この摩擦係合力はボトムバー５の下降に伴って増加するので、予めスプリング１０９の圧縮量を調節しておくことで、スクリーン１０１を所定の位置まで引き出した状態で止めることができる。
【先行技術文献】
【特許文献】
【０００４】
【特許文献１】特開平７−２０８０４６号公報
【発明の概要】
【発明が解決しようとする課題】
【０００５】
しかしながら、上述のロールスクリーン装置では、スクリーン１０１を下降させることでガイドレール１０２とスライド案内片１１０との間に生じる摩擦係合力を増加させてスクリーン１０１を止めるようにしているので、スクリーン１０１を下まで降ろさなければ止めることができず、例えば中間の高さ等の任意の位置でスクリーン１０１を止めることができない。
【０００６】
本発明は、任意の位置にスクリーンを止めることができるロールスクリーン装置を提供することを目的とする。
【課題を解決するための手段】
【０００７】
かかる目的を達成するために、請求項１記載のロールスクリーン装置は、スクリーンを巻き取るローラと、スクリーンの引き出し側縁に取り付けられたフロントフレームと、フロントフレームの両端を案内する左右一対のガイドレールと、左右一対のガイドレールの少なくとも一方に沿って設けられたラック状部材と、フロントフレームに回転自在に設けられ、ラック状部材に噛み合うピニオンギアが取り付けられたシャフトと、シャフトをフロントフレームに係止する係止手段と、係止手段によるシャフトの係止を解除する操作手段を備えるものである。
【０００８】
したがって、操作手段を操作して係止手段によるシャフトの係止を解除すると、ガイドレールに沿って設けられたラック状部材に噛み合っているピニオンギアが回転可能になり、フロントフレームをガイドレールに沿って移動させてスクリーンを引き出すことが可能になる。そして、スクリーンを任意の位置まで引き出した後、操作手段による係止解除操作を止めると、係止手段がシャフトを係止してピニオンギアが回転できなくなるので、フロントフレームをその位置に止めることができる。
【０００９】
また、請求項２記載のロールスクリーン装置のように、ラック状部材およびピニオンギアを左右一対設けても良いし、いずれか一方に設けても良い。
【００１０】
さらに、請求項３記載のロールスクリーン装置は、係止手段がシャフトの周面を締め付けて係止するコイルスプリングであり、操作手段がコイルスプリングの締め付け力を緩めるレバーである。
【発明の効果】
【００１１】
請求項１記載のロールスクリーン装置では、スクリーンの移動（引き出し・収容）時にピニオンギアをラック状部材に対して回転させるようにし、ピニオンギアが回転しなければスクリーンを移動させることができないようにしているので、操作手段を操作して係止手段による係止を解除することでスクリーンを移動させることができると共に、操作手段による係止解除操作を止めることでピニオンギアを固定してフロントフレームを止めることができる。係止手段によるシャフトの係止・係止解除はフロントフレームの位置とは無関係に行うことができるので、フロントフレームを任意の位置に止めることができ、スクリーンを任意の位置に止めることができる。
【００１２】
また、請求項２記載のロールスクリーン装置では、ラック状部材とピニオンギアの組合せをスクリーンの左右にそれぞれ設けているので、スクリーンをよりしっかりと止めることができ、フロントフレームが斜めになるのをより確実に防止することができる。
【００１３】
さらに、請求項３記載のロールスクリーン装置では、係止手段がシャフトの周面を締め付けて係止するコイルスプリングであり、操作手段がコイルスプリングの締め付け力を緩めるレバーであるので、係止手段と操作手段の構成が簡単なものとなり、製造コストを安くすることができると共に軽量化することができ、さらには耐久性を向上させることもできる。
【図面の簡単な説明】
【００１４】
【図１】本発明のロールスクリーン装置の実施形態の一例を示し、その横断面図である。
【図２】操作手段の断面図である。
【図３】図２のIII−III線に沿う断面を示し（Ａ）は操作手段を操作していない状態の断面図、（Ｂ）は操作手段を操作している状態の断面図である。
【図４】図２のIV−IV線に沿う断面を示し（Ａ）は操作手段を操作していない状態の断面図、（Ｂ）は操作手段を操作している状態の断面図である。
【図５】シャフトに操作手段および係止手段を組み付ける様子を示す分解図である。
【図６】フロントフレームの端をガイドレールによって案内する様子を示し、（Ａ）はサイドフレームの横断面図、（Ｂ）はサイドフレームの縦断面図である。
【図７】ロールスクリーン装置を示し、（Ａ）は正面図、（Ｂ）は側面図、（Ｃ）は背面図である。
【図８】従来のロールスクリーン装置の概略構成図である。
【図９】従来のロールスクリーン装置の要部断面図である。
【発明を実施するための形態】
【００１５】
以下、本発明の構成を図面に示す形態に基づいて詳細に説明する。
【００１６】
図１〜図７に、本発明を適用したロールスクリーン装置の実施形態の一例を示す。なお、図１は図７のＩ−Ｉ線に沿う断面図、図３は図２のIII−III線に沿う断面図、図４は図２のVI−VI線に沿う断面図、図６（Ａ）は同（Ｂ）のＹ−Ｙ線に沿う断面図、図６（Ｂ）は同（Ａ）のＸ−Ｘ線に沿う断面図である。ロールスクリーン装置は、スクリーン１を巻き取るローラ２と、スクリーン１の引き出し側辺に取り付けられたフロントフレーム３と、フロントフレーム３の両端を案内する左右一対のガイドレール４と、左右一対のガイドレール４の少なくとも一方に沿って設けられたラック状部材５と、フロントフレーム３に回転自在に設けられ、ラック状部材５に噛み合うピニオンギア６が取り付けられたシャフト７と、シャフト７をフロントフレーム３に係止する係止手段８と、係止手段８によるシャフト７の係止を解除する操作手段９とを備えている。
【００１７】
本実施形態では、例えば住宅の窓の外に設置する場合を例に説明するが、設置場所としてはこれに限られない。また、屋外への設置に限られず、屋内に設置しても良い。
【００１８】
ロールスクリーン装置は、窓の上に水平に固定されるメインフレーム１０と、窓の両脇に垂直に固定される左右のサイドフレーム１１を有している。メインフレーム１０の両端にはサイドキャップ１２が例えばボルトによって固定されており、左右のサイドキャップ１２は左右のサイドフレーム１１の上端に例えばボルトによって固定されている。メインフレーム１０は左右一対の取付金具１３によって壁２２に固定され、各サイドフレーム１１の下端は取付金具１４によって壁２２に固定されている。
【００１９】
スクリーン１を巻き取るローラ（以下、巻き取りローラという）２は、その両端を左右のサイドキャップ１２によって支持されている。巻き取りローラ２は図示しないスプリングによってスクリーン１を巻き取る方向に常時付勢されている。巻き取りローラ２の上方は、左右一対の取付金具１３に固定されたルーフ１５で覆われている。ルーフ１５の両端は左右のサイドプレート１６によって覆われている。
【００２０】
左右のサイドフレーム１１にはフロントフレーム３の両端を案内するガイドレール４が設けられている。本実施形態では、サイドフレーム１１にガイドレール４を一体形成しているが、別体のガイドレール４をサイドフレーム１１に取り付けるようにしても良い。サイドフレーム１１にガイドレール４を一体形成することで部品点数を減らすことができ、製造コストを安くすることができると共に壁２２への施工を容易にすることができる。
【００２１】
また、ガイドレール４にはラック状部材５が設けられている。ラック状部材５としては、ピニオンギア６と噛み合って、回転するピニオンギア６を線状に移動させることができるものであれば良く、ラックの他、ピニオンギア６に噛み合うように一定のピッチで設けられた多数の小孔や、その他のものも含まれる。本実施形態では、ラック状部材５としてピニオンギア６に噛み合うように一定のピッチで多数の小孔を設けている。また、本実施形態では、左右のガイドレール４にラック状部材５を設けている。
【００２２】
フロントフレーム３はスクリーン１の引き出し側縁とほぼ同じ長さのフレームであり、上部にはスクリーン１連結用の凹部３ａが、下部にはシャフト７収容用の凹部３ｂがそれぞれ全長に亘り形成されている。スクリーン１連結用の凹部３ａには、スクリーン１の引き出し側縁に設けられた袋状部１ａが挿入されている。袋状部１ａ内に連結パイプ１７を挿入して凹部３ａ内で袋状部１ａを広げることで凹部３ａ内から袋状部１ａが抜けなくなり、スクリーン１の引き出し側縁にフロントフレーム３を連結することができる。フロントフレーム３の両端には左右のガイドレール４に案内される左右のスライダ１８が例えばボルトによって固定されている。
【００２３】
シャフト７は、中央の小径パイプ７ａと、小径パイプ７ａの両端に連結された左右の大径パイプ７ｂと、左右の大径パイプ７ｂの外側端に連結された左右のエンドバー７ｃより構成されている。このようにシャフト７を分割することでシャフト７の中央部分を細くするのが容易になる。シャフト７の中央部分には、詳しくは後述するように係止手段８および操作手段９を取り付けられるので、中央部分を細くしておくことで係止手段８および操作手段９が太くなり過ぎるのを防止することができる。
【００２４】
シャフト７はフロントフレーム３のシャフト７収容用の凹部３ｂ内に収容され、左右のエンドバー７ｃの先端を左右のスライダ１８を貫通させて突出させている。左右のエンドバー７ｃの突出部分にはラック状部材５に噛み合うピニオンギア６が取り付けられている。ピニオンギア６はエンドバー７ｃに対して相対回転不能になっている。
【００２５】
小径パイプ７ａはフロントフレーム３のシャフト７収容用の凹部３ｂ内に嵌め込まれた左右一対のシャフトホルダ１９，２０によって回転自在に支持されている。各シャフトホルダ１９，２０にはシャフト７収容用の凹部３ｂの開口部分に嵌め込まれる凸部１９ａ，２０ａが設けられており、フロントフレーム３に対して回転不能となっている。一方、各シャフトホルダ１９，２０と小径パイプ７ａとの間には小径パイプ７ａの回転抵抗を減少させるスリーブ２１が設けられている。
【００２６】
本実施形態では、シャフト７をフロントフレーム３に係止する係止手段８としてシャフト７の周面を締め付けて係止するコイルスプリングを、係止手段８によるシャフト７の係止を解除する操作手段９としてコイルスプリングの締め付け力を緩めるレバーをそれぞれ採用している。ただし、これらには限られない。例えば、摩擦抵抗を付与する部材によってシャフト７の回転を規制するようにしても良いし、シャフト７に設けた孔にピン等を差し込み回転規制するようにして良く、その他の手段でも構わない。要するに、シャフト７の回転を規制する事ができれば良いのである。
【００２７】
係止手段８および操作手段９はフロントフレーム３の中央に設けられている。操作手段９は、フロントフレーム３のシャフト７収容用の凹部３ｂ内の各シャフトホルダ１９，２０の間に配置される円筒部９ａと、凹部３ｂの開口から外に延出するレバー部９ｂより構成されている。係止手段８としてのコイルスプリングは円筒部９ａの内周面に設けられた切り欠き部分９ｃに収容されて小径パイプ７ａの周囲に巻き付けられており、その一端は一方のシャフトホルダ１９に設けられた係止用孔１９ｂに、他端は円筒部９ａに設けられた係止用孔９ｄにそれぞれ挿入されて係止されている。係止手段８が小径パイプ７ａを締め付けている状態ではその摩擦力で小径パイプ７ａは回転できない。即ち、シャフト７がフロントフレーム３に係止される。係止手段８としてのコイルスプリングの巻方向は、円筒部９ａを解除方向（図３（Ｂ），図４（Ｂ）の矢印ＣＣＷ方向）に回転させる（操作する）と小径パイプ７ａの締め付けが緩む方向になっている。
【００２８】
なお、本実施形態では、一方のシャフトホルダ１９には係止用孔１９ｂが複数設けられており（図４）、使用する係止用孔１９ｂを選択することで係止手段８の小径パイプ７ａの締め付け力を調節することができる。
【００２９】
シャフト７の両端にはラック状部材５に噛み合っているピニオンギア６が取り付けられているので、シャフト７が回転しなければフロントフレーム３を移動させることができない。即ち、係止手段８によってシャフト７をフロントフレーム３に係止することで、フロントフレーム３をガイドレール４にロックすることができる。操作手段９が操作されていない状態（図３（Ａ），図４（Ａ））では、係止手段８のばね力によってフロントフレーム３のロック状態は維持される。
【００３０】
一方、操作手段９を操作して係止手段８によるシャフト７の係止を解除することで（図３（Ｂ），図４（Ｂ））、フロントフレーム３のロックは解除され、ピニオンギア６をラック状部材５に対して回転させながらフロントフレーム３を移動させることができる。このとき、フロントフレーム３の両端のスライダ１８が左右のガイドレール４に案内されるので、フロントフレーム３はガイドレール４に沿って移動する。
【００３１】
次に、ロールスクリーン装置の使用について説明する。使用者が操作手段９を操作していない状態では、フロントフレーム３はガイドレール４にロックされており移動できないので、風に煽られる等してスクリーン１が引き出されることがなく、収納状態（スクリーン１が巻き取りローラ２に巻き取られている状態）を維持することができる。
【００３２】
使用者が操作手段９を操作してフロントフレーム３のロックを解除すると、フロントフレーム３の移動が可能になる。使用者は操作手段９を操作しながらフロントフレーム３を移動させてスクリーン１を巻き取りローラ２から引き出す。このとき、使用者はレバー部９ｂを掴んで係止解除操作を行いながらそのままフロントフレーム３を移動させることができるので、所謂ワンタッチ操作となり、使い勝手に優れている。そして、フロントフレーム３を所望の位置まで移動させた後、使用者が操作手段９から手を放すと、係止手段８がシャフト７を係止しフロントフレーム３がロックされるので、スクリーン１の長さを固定することができる。この状態では、フロントフレーム３はガイドレール４にロックされているので、風に煽られる等してスクリーン１がばたつくことを防止することができる。
【００３３】
本発明では、係止手段８によってシャフト７を係止し、ガイドレール４に設けられたラック状部材５に噛み合うピニオンギア６を回転できないようにすることで、フロントフレーム３をロックするので、フロントフレーム３の移動できる範囲において任意の位置にフロントフレーム３をロックすることができる。
【００３４】
また、本実施形態では、ラック状部材５とピニオンギア６の組合せを左右一対設けているので、スクリーン１をよりしっかりと止めることができ、フロントフレーム３が斜めになるのをより確実に防止することができる。
【００３５】
なお、上述の形態は本発明の好適な形態の一例ではあるがこれに限定されるものではなく本発明の要旨を逸脱しない範囲において種々変形実施可能である。
【００３６】
例えば、上述の説明では、ラック状部材５およびピニオンギア６の組合せを左右一対設けていたが、いずれか一方にのみ設けるようにしても良い。
【００３７】
また、上述の説明では、フロントフレーム３を上昇させる（スクリーン１を巻き取る）場合と下降させる（スクリーン１を引き出す）場合の両方向について操作手段９を係止解除操作しながらフロントフレーム３を移動させるようにしていたが、例えば係止手段８としてのコイルスプリングの巻き付け力を調整しておき、当該コイルスプリングの巻部分を拡げる方向にシャフト７が回転する場合にはシャフト７の回転によってコイルスプリングの巻部分を拡げてシャフト７の係止を自動的に解除し、操作手段９を係止解除操作せずにそのままフロントフレーム３を移動させるようにしても良い。即ち、フロントフレーム３を下降させる場合にコイルスプリングの巻部分を拡げる方向にシャフト７が回転し、フロントフレーム３を上昇させる場合にコイルスプリングの巻部分を縮める方向にシャフト７が回転するときには、フロントフレーム３を下降させる場合にはシャフト７の係止が自動的に解除されるので操作手段９を係止解除操作せずにそのままフロントフレーム３を下降させるようにし、フロントフレーム３を上昇させる場合にはシャフト７の係止は自動解除されないので操作手段９を係止解除操作しながらフロントフレーム３を上昇させるようにしても良い。逆に、フロントフレーム３を上昇させる場合にコイルスプリングの巻部分を拡げる方向にシャフト７が回転し、フロントフレーム３を下降させる場合にコイルスプリングの巻部分を縮める方向にシャフト７が回転するときには、フロントフレーム３を上昇させる場合にはシャフト７の係止が自動的に解除されるので操作手段９を係止解除操作せずにそのままフロントフレーム３を上昇させるようにし、フロントフレーム３を下降させる場合にはシャフト７の係止は自動解除されないので操作手段９を係止解除操作しながらフロントフレーム３を下降させるようにしても良い。
【符号の説明】
【００３８】
１  スクリーン
２  巻き取りローラ
３  フロントフレーム
４  ガイドレール
５  ラック状部材
６  ピニオンギア
７  シャフト
８  係止手段
９  操作手段
【図１】
2013133657.tif 000003
【図２】
2013133657.tif 000004
【図３】
2013133657.tif 000005
【図４】
2013133657.tif 000006
【図５】
2013133657.tif 000007
【図６】
2013133657.tif 000008
【図７】
2013133657.tif 000009
【図８】
2013133657.tif 000010
【図９】
2013133657.tif 000011